(57)【要約】【課題】  特にガラスまたはステンレス鋼によって形成された洗面器において、その底部上面における排水口金具のフランジ部の周囲の部分に水が残らない排水口構造を提供する。【解決手段】  本発明の洗面器の排水口構造は、洗面器11の底部111上面における排水孔112の周縁部とこれに受けられる排水口金具2上端のフランジ部211との間に介在される環状シール部材3に、底部111上面におけるフランジ部211の周囲の部分に溜まった水を排水孔112の内周面とこれに対向する排水口金具2の周壁213との間の環状空間Sに流下させるための通水路31が形成され、環状空間Sに流下した水を排水口金具2の内部に流入させるための連通孔213aが、排水口金具2の周壁213に形成されているものである。【選択図】  図２
2005344313.tif 000002
【特許請求の範囲】
【請求項１】
洗面器(11)の底部(111)上面における排水孔(112)の周縁部とこれに受けられる排水口金具(2)上端のフランジ部(211)との間に介在される環状シール部材(3)に、洗面器(11)の底部(111)上面におけるフランジ部(211)の周囲の部分に溜まった水を排水孔(112)の内周面とこれに対向する排水口金具(2)の周壁(213)との間の環状空間(S)に流下させるための通水路(31)が少なくとも１つ形成されているとともに、環状空間(S)に流下した水を排水口金具(2)の内部に流入させるための少なくとも１つの連通孔(213a)が排水口金具(2)の周壁(213)に形成されていることを特徴とする、洗面器の排水口構造。
【請求項２】
通水路(31)が、環状シール部材(3)にこれを分断するように形成した切除部によって構成されていることを特徴とする、請求項１記載の洗面器の排水口構造。
【発明の詳細な説明】
【技術分野】
【０００１】
本発明は、洗面器の底部に設けられる排水口構造に関し、特に、ガラスまたはステンレス鋼によって形成された洗面器の底部において好適に用いられる排水口構造に関する。
【背景技術】
【０００２】
洗面器の排水口は、通常、洗面器の底部にあけられた排水孔に排水口金具を嵌めることによって構成されている。排水口金具の上端には、洗面器の底部上面における排水孔の周縁部に、環状シール部材を介して受けられる、フランジ部が形成されている。
【０００３】
上記の排水口構造において、排水口金具のフランジ部が、洗面器の底部上面におけるフランジ部の周囲の部分よりも上方に突出していると、底部上面の前記部分に水が残ってしまい、それによって見栄えが損なわれる上、水垢等が発生し易くなるので衛生面でも問題があった。
【０００４】
そこで、このような排水口周囲の残留水の問題を解消するため、洗面器の底部上面における排水孔の周縁部とその周囲の部分との間に、排水口金具のフランジ部の厚さと環状シール部材の厚さの和以上の高さを有する段差を設けた排水口構造が、従来より採用されている（例えば下記特許文献１参照）。
【０００５】
上記のような段差は、陶器製の洗面器の場合には、比較的容易に形成することができる。しかしながら、近年、ガラスやステンレス鋼よりなるデザイン性に優れた洗面器が多く用いられるようになっており、これらの洗面器の場合、底部上面に上記のような段差を形成することが困難であった。
【特許文献１】特開２００２−２６６４０３号公報（図８参照）
【発明の開示】
【０００６】
本発明の目的は、特にガラスまたはステンレス鋼によって形成される洗面器において、該洗面器の底部上面における排水口金具のフランジ部の周囲の部分に水が残らない排水口構造を提供することにある。
【０００７】
本発明による洗面器の排水口構造は、洗面器の底部上面における排水孔の周縁部とこれに受けられる排水口金具上端のフランジ部との間に介在される環状シール部材に、洗面器の底部上面におけるフランジ部の周囲の部分に溜まった水を排水孔の内周面とこれに対向する排水口金具の周壁との間の環状空間に流下させるための通水路が少なくとも１つ形成されているとともに、環状空間に流下した水を排水口金具の内部に流入させるための少なくとも１つの連通孔が排水口金具の周壁に形成されているものである。
【０００８】
上記洗面器の排水口構造にあっては、洗面器の底部上面におけるフランジ部の周囲の部分に溜まった水が、環状シール部材に形成された通水路を通じて、排水孔の内周面とこれに対向する排水口金具の周壁との間の環状空間に流下させられ、さらに、環状空間に流下した水が、排水口金具の周壁に形成された連通孔を通じて、排水口金具の内部に流入させられる。したがって、本発明による洗面器の排水口構造によれば、洗面器が、ガラスやステンレス鋼といった底部への段差の形成が困難な材料よりなる場合であっても、排水口金具のフランジ部の周囲に水が残らないので、洗面器を見栄えの良い衛生的なものとすることができる。
【０００９】
本発明による洗面器の排水口構造において、通水路は、環状シール部材にこれを分断するように形成した切除部によって構成されているのが好ましい。
通水路を上記のような切除部によって構成すれば、環状シール部材の厚みが小さい場合であっても、排水口金具のフランジ部の周囲に溜まった水を流下させるのに十分な流路断面積が得られる。
【００１０】
もっとも、通水路は、上記切除部以外によって構成されていてもよく、例えば、環状シール部材にこれを横断するように形成した溝または孔によって構成することも可能である。
【発明を実施するための最良の形態】
【００１１】
次に、本発明の実施形態を、図１〜図４を参照して説明する。
図１は、本発明による洗面器の排水口構造を備えた洗面台を示したものである。上記の洗面台(10)に用いられている洗面器(11)は、ガラス製であって、円形の水平断面を有する椀状のものとなされている。洗面台(10)のカウンター(12)には、洗面器(11)をその底部(111)よりもやや上方位置において受け得る大きさを有する円形孔(12a)があけられている。洗面器(11)の底部(111)中心には、排水孔(112)があけられている。そして、この排水孔(112)に排水口金具(2)が嵌められ、排水口金具(2)の下端部に排水管(4)の上端部が接続されている。
【００１２】
図２および図３は、洗面器(11)の排水口付近を詳しく示したものである。また、図４は、洗面器(11)の底部(111)とともに、排水口金具(2)を分解して示したものである。これらの図に示すように、洗面器(11)の排水孔(112)は、円形の断面を有する垂直状のものである。なお、底部(111)上面における排水孔(112)の周縁部とその周囲の部分との間には、段差が設けられておらず、ほぼ平坦に連なっている。
【００１３】
排水口金具(2)は、洗面器(11)の底部(111)を排水孔(112)の周縁部において上下両側から挟むように互いにねじ合わせられる上筒(21)および下筒(22)を備えている。
【００１４】
上筒(21)は、上端に外向き環状フランジ部(211)を有し、下部に雄ねじ部(212)を有している。上筒(21)の上部は、下方に行くにつれて次第に径小となるテーパ筒状となされ、一方、雄ねじ部(212)が形成されている下部は、垂直筒状となされている。フランジ部(211)は、厚みの小さい水平状のものとなされている。この上筒(21)は、排水孔(112)に上方から挿入され、上端のフランジ部(211)が、環状シール部材(3)を介して、洗面器(11)の底部(111)上面における排水孔(112)の周縁部に受けられている。上筒(21)におけるテーパ筒状の上部の周壁(213)が、排水孔(112)の内周面と対向させられ、これらの間に環状空間(S)が形成されている。上筒(21)の下端には、環状内方突出部(214)が形成されている。
【００１５】
下筒(22)は、略垂直筒状のものであって、上端部に外向き環状フランジ部(221)を有し、上部に上筒(21)の雄ねじ部(212)にねじ嵌められる雌ねじ部(222)を有している。また、下筒(22)の下部には、排水管(4)上端の雌ねじ部(41)にねじ込まれる雄ねじ部(223)が形成されている。下筒(22)のフランジ部(221)は、水平部(221a)と、水平部(221a)の外周縁から上方に短く延びた立上り部(221b)とを備えており、立上り部(221b)の上端が、洗面器(11)の底部(111)下面における排水孔(112)の周縁部に当接している。なお、図２では、立上り部(221b)の上端が底部(111)下面の前記部分に直接当たっているが、これらの間にシール部材を介在させるようにしてもよい。フランジ部(221)の水平部(221a)の上方には断面横Ｕ形の環状シール部材(5)が配されており、このシール部材(5)によって、上筒(21)上部の周壁(213)と排水孔(112)の内周面(112a)との間の環状空間(S)の下端が水密状に閉鎖されている。また、下筒(22)の外周面における高さ中央部には、レンチ、スパナ等の回動工具に合致する平面より見て６角形の締付け部(224)が形成されている。
【００１６】
洗面器(11)の底部(111)上面における排水孔(112)の周縁部とこれに受けられる上筒(21)のフランジ部(211)との間に介在されている環状シール部材(3)には、底部(111)上面におけるフランジ部(211)の周囲の部分に溜まった水を前記環状空間(S)に流下させるための通水路(31)が２つ形成されている。また、環状空間(S)に流下した水を排水口金具(2)の内部に流入させるための２つの連通孔(213a)が、上筒(21)上部の周壁(213)に形成されている。通水路(31)は、環状シール部材(3)にこれを分断するように形成された切除部によって構成されている。図３に示すように、２つの通水路（切除部）(31)は、環状シール部材(3)における１直径線上の対称位置に形成されている。環状シール部材(3)は２つに分断されるため、例えば、これを上筒(21)のフランジ部(211)下面に予め接着剤等によって接合しておけば、位置決めが容易となる上、施工後の位置ズレを効果的に防止することができる。２つの連通孔(213a)は、それぞれ水平方向に延びるスリット状のものであって、図３に示すように、環状シール部材(3)の２つの通水路(31)と対応する位置に設けられている。但し、通水路(31)と連通孔(213a)とは、必ずしも対応する位置に設けられていることを要しない。
【００１７】
また、排水口金具(2)には、排水口が上方から直接見えないようにするためのカバー(23)が備えられている。このカバー(23)は、垂直筒部(231)と、垂直筒部(231)の上端に連なる水平円板部(232)とを備えている。垂直筒部(231)は、上筒(21)の高さよりもやや大きい高さを有するとともに、上筒(21)下部の内径よりも僅かに小さい外径を有しており、その下端面が上筒(21)の環状内方突出部(214)に受けられるようになっている。垂直筒部(231)の周壁上部には、円形をした多数の通水孔(231a)があけられている。水平円板部(232)は、上筒(21)の上方開口およびフランジ部(211)を被覆しうる直径を有している。
【００１８】
上述した洗面器の排水口構造にあっては、洗面器(11)の底部(111)上面におけるフランジ部(211)の周囲の部分に溜まった水が、環状シール部材(3)の２つの通水路(31)を通じて、排水孔(112)の内周面とこれに対向する上筒(21)上部の周壁(213)との間の環状空間(S)に流下させられる。次いで、環状空間(S)に流下した水は、上筒(21)上部の周壁(213)に形成された２つの連通孔(213a)を通じて、上筒(21)の内部に流入させられる。したがって、この排水口構造によれば、デザイン性に優れたガラス製洗面器(11)の底部(111)上面において、排水口金具(2)のフランジ部(211)の周囲に水が残らないので、見栄えが良く、衛生的である。
【００１９】
上記の実施形態はあくまでも例示にすぎず、特許請求の範囲に記載された本発明の要旨を逸脱しない範囲内で適宜に変更を加えた上で本発明を実施することも勿論可能である。
【図面の簡単な説明】
【００２０】
【図１】本発明による洗面器の排水口構造を備えた洗面台の斜視図である。
【図２】洗面器の排水口付近の拡大垂直断面図である。
【図３】図２のIII−III線に沿う水平断面図である。
【図４】洗面器の底部とともに、排水口金具を分解して示す拡大垂直断面図である。
【符号の説明】
【００２１】
(11)：洗面器
(111)：底部
(112)：排水孔
(2)：排水口金具
(21)：上筒
(211)：フランジ部
(213)：（上筒上部の）周壁
(213a)：連通孔
(22)：下筒
(3)：環状シール部材
(31)：通水路（切除部）
(S)：環状空間
【図１】
2005344313.tif 000003
【図２】
2005344313.tif 000004
【図３】
2005344313.tif 000005
【図４】
2005344313.tif 000006